(57)【特許請求の範囲】
【請求項１】
蓋本体と、この蓋本体を内周部で開閉可能に支持する受枠とを備えた地下構造物用蓋において、
前記蓋本体の外周縁部に、蓋開閉用バールの先端が挿入可能な切欠き部を形成するとともに、当該切欠き部の蓋本体中心側に、前記蓋開閉用バールにより前記受枠の内周部上端を支点として蓋本体を受枠から開蓋するときに作用点となる蓋本体係止部を形成し、
前記受枠の内周部には、蓋本体を受枠に閉蓋した際に前記切欠き部と相対する位置に、前記切欠き部に挿入した蓋開閉用バールの先端が係止可能で、かつ蓋本体を受枠に閉蓋した後に前記蓋開閉用バールにより前記切欠き部の上縁を作用点として蓋本体を受枠に食い込ませるときに支点となる受枠係止部を形成したことを特徴とする地下構造物用蓋。
【請求項２】
前記受枠係止部は、受枠の外方に凹む凹部、受枠の内方に突き出す突出部、またはこれらの組合せによって形成した請求項１に記載の地下構造物用蓋。
【請求項３】
前記切欠き部、前記蓋本体係止部および前記受枠係止部の組を複数箇所に形成した請求項１または２に記載の地下構造物用蓋。
【発明の詳細な説明】
【技術分野】
【０００１】
本発明は、蓋本体と、この蓋本体を内周部で開閉可能に支持する受枠とを備えた地下構造物用蓋に関する。
【０００２】
なお、本願明細書でいう「地下構造物用蓋」とは、下水道における地下埋設物，地下構造施設等と地上とを通じる開口部を開閉可能に閉塞するマンホール蓋，大型鉄蓋，汚水桝蓋、雨水排水における雨水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【背景技術】
【０００３】
地下構造物用蓋としては、蓋本体の外周部に形成した勾配面を受枠の内周部に形成した勾配面に食い込ませることにより蓋本体を受枠に嵌合支持する勾配受構造のものが一般的である（例えば、特許文献１、２）。このような勾配受構造の地下構造物用蓋にあっては、車両の通行等による蓋本体のがたつき、振動、騒音（以下「蓋本体のがたつき等」という。）の発生を顕著に抑えることができるとともに、蓋本体のずり上がりをほとんど起こさないという効果を奏することができる。
【０００４】
しかしながら、とくに勾配受構造の地下構造物用蓋においては、その効果を十分に発揮させるため、蓋本体を受枠に閉蓋する際に、蓋本体表面の複数箇所を蓋開閉用バールやショックレスハンマー等で叩くことにより、蓋本体を受枠に適度に食い込ませておく必要があるところ、叩き込む力が弱い場合、その後の車両の通行等によっても蓋本体が受枠に食い込まず、蓋本体のがたつき等が発生するおそれがある。また、叩く場所によって力に大きなばらつきが生じ、蓋本体が傾いたまま閉蓋した場合、蓋本体が受枠に対して均等に食い込んでいないことから、車両の通行等によって蓋本体のずり上がりが起こり、結果として、蓋本体のがたつき等が発生するおそれがある。このように、蓋本体を閉蓋する際に、蓋本体の受枠への適度な食い込み力が得られないと、蓋本体のがたつき等が発生するという問題が生じることがある。
【０００５】
なお、このような問題は、勾配受構造の地下構造物用蓋に限らず、蓋本体を受枠の内周部で開閉可能に支持する構造の地下構造物用蓋においても同様に生じうる。
【先行技術文献】
【特許文献】
【０００６】
【特許文献１】特開昭５３−７２３５７号公報
【特許文献２】実公昭６０−１９１６２号公報
【発明の概要】
【発明が解決しようとする課題】
【０００７】
本発明が解決しようとする課題は、蓋本体を受枠に閉蓋する際に、蓋本体の受枠への適度な食い込み力を発生させることができる地下構造物用蓋を提供することにある。
【課題を解決するための手段】
【０００８】
本発明の地下構造物用蓋は、蓋本体と、この蓋本体を内周部で開閉可能に支持する受枠とを備えた地下構造物用蓋において、前記蓋本体の外周縁部に、蓋開閉用バールの先端が挿入可能な切欠き部を形成するとともに、当該切欠き部の蓋本体中心側に、前記蓋開閉用バールにより前記受枠の内周部上端を支点として蓋本体を受枠から開蓋するときに作用点となる蓋本体係止部を形成し、前記受枠の内周部には、蓋本体を受枠に閉蓋した際に前記切欠き部と相対する位置に、前記切欠き部に挿入した蓋開閉用バールの先端が係止可能で、かつ蓋本体を受枠に閉蓋した後に前記蓋開閉用バールにより前記切欠き部の上縁を作用点として蓋本体を受枠に食い込ませるときに支点となる受枠係止部を形成したことを特徴とするものである。
【０００９】
このように、蓋本体の外周縁部に切欠き部、受枠の内周部に受枠係止部をそれぞれ形成したことで、蓋本体を受枠に閉蓋する際に、蓋本体の切欠き部に蓋開閉用バールを挿入して当該蓋開閉用バールの先端を受枠係止部に係止させ、受枠係止部を支点、蓋本体の切欠き部を作用点とする、てこの原理を利用して、受枠に対して蓋本体を押し込むことにより、蓋本体の受枠への適度な食い込み力を発生させることができる。これにより、蓋本体のがたつき等の発生を顕著に抑えることができる。また、蓋本体が受枠に斜めに傾いたまま食い込んでいた場合、水平になるように蓋本体の傾きを調整することも可能となる。
【００１０】
本発明において前記受枠係止部は、受枠の外方に凹む凹部、受枠の内方に突き出す突出部、またはこれらの組合せによって形成することができる。凹部や突出部は比較的簡単に形成できるので、受枠の内周部の形状が過度に複雑になることがなく、低コストで実現できる。
【００１１】
また、本発明において前記切欠き部、前記蓋本体係止部および前記受枠係止部の組は複数箇所に形成することができる。これにより、蓋本体の受枠への適度な食い込み力を、地下構造物用蓋の全周にわたってより均一に発生させることができ、また、蓋本体が受枠に斜めに傾いたまま食い込んでいた場合も、その蓋本体の傾きの調整をより簡単に行うことができる。
【発明の効果】
【００１２】
本発明によれば、蓋本体を受枠に閉蓋する際に、この蓋本体の開閉の際に使用する蓋開閉用バールを用いて、蓋本体の受枠への適度な食い込み力を発生させることができる。これにより、蓋本体のがたつき等の発生を顕著に抑えることができ、また、蓋本体の傾きを調整することも可能となる。
【図面の簡単な説明】
【００１３】
【図１】本発明の一実施例による地下構造物用蓋の全体構成を示し、（ａ）は平面図、（ｂ）は（ａ）のＡ−Ａ矢視図である。
【図２】図１の地下構造物用蓋の切欠き部（補助バール孔）近傍の具体的構成を示し、（ａ）は平面図、（ｂ）は（ａ）のＢ−Ｂ矢視図である。
【図３】図１の地下構造物用蓋おいて、蓋本体を受枠から開蓋する際の蓋開閉用バールの使用状態を示す。
【図４】図１の地下構造物用蓋において、蓋本体を受枠に食い込ませる際の蓋開閉用バールの使用状態を示す。
【図５】本発明の地下構造物用蓋の受枠に形成する受枠係止部の他の例を示し、（ａ）は要部の平面図、（ｂ）は（ａ）のＣ−Ｃ矢視図に蓋開閉用バールを加えた図である。
【発明を実施するための形態】
【００１４】
以下、図面に示す実施例に基づき本発明の実施の形態を説明する。
【００１５】
図１は、本発明の一実施例による地下構造物用蓋の全体構成を示し、（ａ）は平面図、（ｂ）は（ａ）のＡ−Ａ矢視図である。
【００１６】
図１に示す地下構造物用蓋は、円形（丸型）の蓋本体１０と、この蓋本体１０を内周部で開閉可能に支持する受枠２０とを備え、具体的には図１（ｂ）に示すように、蓋本体１０の外周部に形成した勾配面１１を受枠２０の内周部に形成した勾配面２１に食い込ませることにより蓋本体１０を受枠２０に嵌合支持する勾配受構造の地下構造物用蓋である。
【００１７】
蓋本体１０の外周縁部には、それぞれ蓋開閉用バールの先端が挿入可能な、長孔状の貫通孔からなる主バール孔１２と、補助バール孔１３とが形成されている。この補助バール孔１３が本発明でいう「切欠き部」であり、以下、「切欠き部１３」として説明する。本実施例において切欠き部１３は、主バール孔１２の中心と蓋本体１０の中心とを通る中心線Ｌに対して線対称となる２箇所に形成されている。
【００１８】
なお、蓋本体１０は、主バール孔１２が形成されている外周縁部位置とは反対側の外周縁部位置（中心線Ｌ上の位置）において、図示しない蝶番金物によって受枠２０と開閉可能に連結されている。
【００１９】
図２は、図１の地下構造物用蓋の切欠き部１３近傍の具体的構成を示し、（ａ）は平面図、（ｂ）は（ａ）のＢ−Ｂ矢視図である。
【００２０】
蓋本体１０の外周縁部に形成した切欠き部１３は、本実施例では底を有する凹状に形成されている。また、受枠２０の内周部には、蓋本体１０を受枠２０に閉蓋した際に切欠き部１３と相対する位置に、受枠係止部２２が形成されている。本実施例において受枠係止部２２は、受枠２０の半径方向に凹む凹部によって形成されている。詳しくは後で説明するが、この受枠係止部２２には、蓋本体２０を閉蓋する際に切欠き部１３に挿入した蓋開閉用バールの先端が係止可能である。
【００２１】
次に、蓋開閉用バールを用いて、蓋本体１０を開蓋および閉蓋する方法について説明する。蓋本体１０を開蓋および閉蓋する際は、図１（ａ）に示した主バール孔１２と補助バール孔である各切欠き部１３のそれぞれに適宜、蓋開閉用バールの先端を挿入して作業を行うが、以下では、補助バール孔である各切欠き部１３に蓋開閉用バールの先端を挿入して行う作業について説明する。
【００２２】
図３は、蓋本体１０を受枠２０から開蓋する際の蓋開閉用バール３０の使用状態を示す。同図に示すように開蓋の際は、蓋本体１０の切欠き部１３に蓋開閉用バール３０の先端を挿入して、その蓋開閉用バール３０の先端を蓋本体係止部１４に係止させる。そして、受枠２０の内周部上端を支点、蓋本体係止部１４を作用点とする、てこの原理を利用して、蓋本体１０を上方に押し上げる。すなわち、この作業は、蓋開閉用バール３０による「こじり作業」である。なお、この「こじり作業」については、後述する「逆こじり作業」によって蓋本体１０が受枠２０に斜めに傾いたまま食い込んだ場合に、蓋本体１０の傾きを修正する手段としても実施可能である。
【００２３】
図４は、蓋本体１０を受枠２０に閉蓋した後の蓋開閉用バール３０により蓋本体を食い込ませる際の使用状態を示す。同図に示すように閉蓋の際は、蓋本体１０の切欠き部１３に蓋開閉用バール３０の先端を挿入して、その蓋開閉用バール３０の先端を受枠係止部２２に係止させる。そして、受枠２０の受枠係止部２２を支点、蓋本体１０の切欠き部１３の上縁を作用点とする、てこの原理を利用して、蓋本体１０を下方に押し込む。
【００２４】
この図４の作業は、図３の「こじり作業」に対して「逆こじり作業」といえるもので、「こじり作業」に加えて「逆こじり作業」も行えることが本発明の特徴である。そして、本発明では、「逆こじり作業」を行えることで、蓋本体１０の受枠２０への適度な食い込み力を発生させることができ、蓋本体１０のがたつき等の発生を顕著に抑えることができる。また、蓋本体１０が受枠２０に斜めに傾いたまま食い込んでいた場合、他の切欠き部１３において「逆こじり作業」を行うことにより、水平になるように蓋本体１０の傾きを調整することも可能となる。
【００２５】
また、本実施例では、「逆こじり作業」を行うための、切欠き部１３およびこれに対応する受枠係止部２２の組を２箇所（複数箇所）に形成しているので、蓋本体１０の受枠２０への適度な食い込み力を、地下構造物用蓋の全周にわたってより均一に発生させることができ、また、蓋本体１０が受枠２０に斜めに傾いたまま食い込んでいた場合も、その蓋本体１０の傾きの調整をより簡単に行うことができる。さらに、本実施例では、切欠き部１３およびこれに対応する受枠係止部２２の組を、中心線Ｌに対して線対称となる２箇所に形成しているので、「逆こじり作業」をより均一にバランス良く行うことができる。
【００２６】
図５は、受枠２０に形成する受枠係止部の他の例を示し、（ａ）は要部の平面図、（ｂ）は（ａ）のＣ−Ｃ矢視図に蓋開閉用バール３０を加えた図である。
【００２７】
先の例では受枠係止部２２を受枠２０の外方（半径方向）に凹む凹部によって形成したが、図５の例は、受枠係止部２３を受枠２０の内方（中心方向）に突き出す突出部によって形成したものである。突出部によって形成した受枠係止部２３によっても、図５（ｂ）に示すように閉蓋の際は、蓋本体１０の切欠き部１３に蓋開閉用バール３０の先端を挿入して、その蓋開閉用バール３０の先端を受枠係止部２３に係止させ、受枠２０の受枠係止部２３を支点、蓋本体１０の表面を作用点とする、てこの原理を利用して、蓋本体１０を下方に押し込む「逆こじり作業」を行うことができる。なお、この図５の例においても、図３で説明したような「こじり作業」を行えることは明らかである。
【００２８】
このように本発明でいう「受枠係止部」は、受枠２０の外方に凹む凹部、または受枠２０の内方に突き出す突出部によって形成でき、また、これら（凹部および突出部）の組合せによって形成することも可能である。なお、「受枠係止部」を図５の例のように突出部で形成した場合、蓋開閉用バール３０による「逆こじり作業」を円滑に行えるようにするため、「受枠係止部」を凹部で形成した場合（図４参照）に比べ、切欠き部１３を蓋本体１０の中心側に向けて若干伸長させることとなる。したがって、切欠き部１３を長くしたくない場合には、「受枠係止部」は凹部で形成することが好ましい。ただし、「受枠係止部」は、凹部や突出部以外によっても形成することができ、要するに、切欠き部１３に挿入した蓋開閉用バール３０の先端が係止可能なものであれば良い。
【００２９】
なお、以上の実施例では、切欠き部１３は底を有する凹状に形成したが、底のない貫通孔とすることもできる。
【００３０】
また、以上の実施例では、蓋本体１０の外周部に形成した勾配面１１を受枠２０の内周部に形成した勾配面２１に食い込ませることにより蓋本体１０を受枠２０に嵌合支持する勾配受構造の地下構造物用蓋について説明したが、本発明は勾配受構造以外の構造の地下構造物用蓋にも適用可能である。例えば、本願出願人が先に国際公開第２０１４／１２６２３９号で開示した構造の地下構造物用蓋にも本発明は問題なく適用可能である。また、実施例では蓋本体１０が円形（丸型）である丸型の地下構造物用蓋について説明したが、本発明は蓋本体が矩形（角型）である角型の地下構造物用蓋にも適用可能である。すなわち本発明は、蓋本体と、この蓋本体を内周部で開閉可能に支持する受枠とを備えた地下構造物用蓋であれば、いずれの地下構造物用蓋にも適用可能である。
【符号の説明】
【００３１】
１０  蓋本体
１１  勾配面
１２  主バール孔
１３  切欠き部（補助バール孔）
１４  蓋本体係止部
２０  受枠
２１  勾配面
２２  受枠係止部（凹部）
２３  受枠係止部（突出部）
３０  蓋開閉用バール
【図１】
0006491918.tif 000002
【図２】
0006491918.tif 000003
【図３】
0006491918.tif 000004
【図４】
0006491918.tif 000005
【図５】
0006491918.tif 000006